(57)【要約】【課題】  外部信号源の消費電力を削減することが可能な表示装置を提供する。【解決手段】マトリクス状に配置された複数の表示画素からなる表示部と、前記複数の表示画素が配列した行に沿って配置された複数の走査線と、前記複数の表示画素が配列した列に沿って配置された複数の信号線と、前記複数の走査線を駆動する走査線駆動部と、前記複数の信号線を駆動する信号線駆動部と、を含む駆動手段と、前記駆動手段の動作を制御する制御手段と、を備え、前記信号線駆動部は、外部信号源から供給されたデータを２フレーム分以上記憶する記憶手段を備えている表示装置。【選択図】図１
2011085810.tif 000002
【特許請求の範囲】
【請求項１】
マトリクス状に配置された複数の表示画素からなる表示部と、
前記複数の表示画素が配列した行に沿って配置された複数の走査線と、
前記複数の表示画素が配列した列に沿って配置された複数の信号線と、
前記複数の走査線を駆動する走査線駆動部と、前記複数の信号線を駆動する信号線駆動部と、を含む駆動手段と、
前記駆動手段の動作を制御する制御手段と、を備え、
前記信号線駆動部は、外部信号源から供給された映像信号データを２フレーム分以上記憶する記憶手段を備えている表示装置。
【請求項２】
前記記憶手段は、前記外部信号源から供給された映像信号データを２フレーム分以上記憶するＲＡＭを備えている請求項１記載の表示装置。
【請求項３】
表示部を駆動する駆動手段と、前記駆動手段を制御する制御手段と、を備え、
前記駆動手段は、外部信号源から供給されたデータを、２フレーム分以上記憶する記憶手段を備えた表示装置の駆動方法であって、
前記制御手段は、外部信号源により、二次元画像表示から三次元画像表示に切り替える信号が供給されると、前記外部信号源から供給される右目用画像データを、前記記憶手段の第１記憶領域に記憶させるとともに、左目用画像データを前記記憶手段の第２記憶領域に記憶させ、
前記第１記憶領域から読み出されたデータに対応する階調映像信号と、前記第２記憶領域とから読み出されたデータに対応する階調映像信号とを、交互に前記表示部に供給する、表示装置の駆動方法。
【請求項４】
表示部を駆動する駆動手段と、前記駆動手段を制御する制御手段と、を備え、
前記駆動手段は、外部信号源から供給されたデータを、２フレーム分以上記憶する記憶手段と、前記記憶手段から読み出されたデータを組み合わせて映像信号を生成する映像信号生成手段と、を備えた表示装置の駆動方法であって、
前記制御手段は、外部信号源から供給された放送信号データの１フレーム分を前記記憶手段の第３記憶領域に記憶させ、
前記第３記憶領域に記憶された放送信号データと、前記記憶手段の第４記憶領域に記憶された画像データとを読み出して、読み出されたデータを前記映像信号生成部において組み合わせて映像信号を生成し、
前記映像信号生成部で生成された映像信号に対応する階調映像信号を前記表示部に供給する、表示装置の駆動方法。
【発明の詳細な説明】
【技術分野】
【０００１】
本発明は表示装置および表示装置の駆動方法に関し、特にアクティブマトリクス型の表示装置およびその駆動方法に関する。
【背景技術】
【０００２】
表示装置は、例えばマトリクス状に配置された複数の表示画素からなる表示部と、複数の表示画素が配列した行に沿って配置された複数の走査線と、複数の表示画素が配列した列に沿って配置された複数の信号線と、複数の走査線が接続した走査線駆動回路と、複数の信号線が接続した信号線駆動回路と、走査線駆動回路および信号線駆動回路を制御する制御手段を、を備えている。
【０００３】
制御手段には、外部信号源から映像信号、クロック信号が供給される。制御手段は、外部信号源から供給された映像信号およびクロック信号に基づいて、走査線駆動回路に水平同期信号を供給し、信号線駆動回路に垂直同期信号および映像信号を供給する。
【０００４】
走査線駆動回路および信号線駆動回路は、制御手段から供給された水平同期信号および垂直同期信号にしたがって、複数の走査線および複数の信号線を駆動し、表示画素に映像信号を書き込む。
【０００５】
上記のように複数の表示画素に書込まれる信号は、外部信号源から供給されて、１フレーム期間毎に更新される。そのため、例えば表示部に所定の静止画を表示させるような場合であっても、外部信号源から制御手段に映像信号が供給されていた。
【０００６】
例えば、特許文献１には、駆動回路が１フレーム分の画像データを記憶するフレームメモリと、フレームメモリからのディジタルデータをアナログ信号に変換するディジタルアナログ変換器と、バッファ回路と、そのフレームメモリ、ディジタルアナログ変換器等の動作を制御する制御回路と、を備える液晶表示装置が提案されている。フレームメモリと、ディジタルアナログ変換器と、バッファ回路と、制御回路とは、単一のＩＣチップに集積されている。
【０００７】
上記のように、例えば１フレーム分の画像データを記憶するフレームメモリを備える駆動回路を含む表示装置において、例えば、放送信号をフレーム画像で囲んで表示させるときに、放送信号に基づく画像とフレームメモリに記憶されたフレーム画像とを重ね合わせ、重ね合わせた後の画像を一旦外部メモリへ記憶し、外部メモリに記憶された画像を順次読出して表示させる必要があった。
【０００８】
また、例えば、右眼画像と左眼画像とを交互に表示させることにより立体画像を表示させる立体画像表示等の場合には、静止画像を表示する場合であっても、外部信号源から制御回路へ映像信号等の供給を継続して行なう必要があり、このためフレームメモリに記憶されたデータを書き換える必要があった。このような状況では、外部信号源の消費電力を削減することが困難であった。
【先行技術文献】
【特許文献】
【０００９】
【特許文献１】特開２００９−５８９７７号公報
【発明の概要】
【発明が解決しようとする課題】
【００１０】
本発明は、上記事情に鑑みて成されたものであって、外部信号源の消費電力を削減することが可能な表示装置および表示装置の駆動方法を提供することを目的とする。
【課題を解決するための手段】
【００１１】
本発明の第一態様による表示装置は、アレイ基板と、マトリクス状に配置された複数の表示画素からなる表示部と、前記アレイ基板上に配置され、前記複数の表示画素が配列した行に沿って配置された複数の走査線と、前記アレイ基板上に配置され、前記複数の表示画素が配列した列に沿って配置された複数の信号線と、前記複数の走査線を駆動する走査線駆動部と、前記複数の信号線を駆動する信号線駆動部と、を含む駆動手段と、前記駆動手段の動作を制御する制御手段と、を備え、前記信号線駆動部は、前記表示部の周囲に配置され、前記複数の表示画素に表示される画像データを、２フレーム以上記憶する記憶手段を備えている表示装置である。
【００１２】
本発明の第二態様による表示装置の駆動方法は、表示部を駆動する駆動手段と、前記駆動手段を制御する制御手段と、を備え、前記駆動手段は、外部信号源から供給されたデータを、２フレーム分以上記憶する記憶手段を備えた表示装置の駆動方法であって、前記制御手段は、外部信号源により、二次元画像表示から三次元画像表示に切り替える信号が供給されると、前記外部信号源から供給される右目用画像データを、前記記憶手段の第１記憶領域に記憶させるとともに、左目用画像データを前記記憶手段の第２記憶領域に記憶させ、前記第１記憶領域から読み出されたデータに対応する階調映像信号と、前記第２記憶領域とから読み出されたデータに対応する階調映像信号とを、交互に前記表示部に供給する、表示装置の駆動方法である。
【００１３】
本発明の第三態様による表示装置の駆動方法は、表示部を駆動する駆動手段と、前記駆動手段を制御する制御手段と、を備え、前記駆動手段は、外部信号源から供給されたデータを、２フレーム分以上記憶する記憶手段と、前記記憶手段から読み出されたデータを組み合わせて映像信号を生成する映像信号生成手段と、を備えた表示装置の駆動方法であって、前記制御手段は、外部信号源から供給された放送信号データの１フレーム分を前記記憶手段の第３記憶領域に記憶させ、前記第３記憶領域に記憶された放送信号データと、前記記憶手段の第４記憶領域に記憶された画像データとを読み出して、読み出されたデータを前記映像信号生成部において組み合わせて映像信号を生成し、前記映像信号生成部で生成された映像信号に対応する階調映像信号を前記表示部に供給する、表示装置の駆動方法
である。
【発明の効果】
【００１４】
本発明によれば、外部信号源の消費電力を削減することが可能な表示装置を提供することを目的とする。
【図面の簡単な説明】
【００１５】
【図１】本発明の一実施形態に係る表示装置の一構成例を説明するための図である。
【図２】本発明の第１実施形態に係る表示装置の信号線駆動回路の一構成例を説明するための図である。
【図３】本発明の第１実施形態に係る表示装置の動作の一例を説明するための図である。
【図４】本発明の第２実施形態に係る表示装置の信号線駆動回路の一構成例を説明するための図である。
【図５】本発明の第２実施形態に係る表示装置の信号線駆動回路の他の構成例を説明するための図である。
【発明を実施するための形態】
【００１６】
以下、本発明の第１実施形態に係る表示装置について、図面を参照して以下に説明する。本実施形態に係る表示装置は、アレイ基板１１０と、アレイ基板１１０と対向するように配置された対向基板１２０と、アレイ基板１１０と対向基板１２０との間に挟持された液晶層ＬＱと、マトリクス状に配置された表示画素ＰＸからなる表示部ＤＹＰと、を備えた光透過型の液晶表示装置である。また、この表示装置は、液晶表示装置の裏面に光源としてバックライトが配置されている。表示装置としては、液晶表示装置の他に、例えば有機ＥＬ表示装置で構成することもでき、この場合はバックライトを不要にできる。
【００１７】
図１に示すように、アレイ基板１１０は、各表示画素ＰＸに配置された画素電極ＰＥと、画素電極ＰＥが配列する行に沿って延びる複数の走査線ＳＬと、画素電極ＰＥが配列する列に沿って延びる複数の信号線ＤＬと、走査線ＳＬと信号線ＤＬとが交差する位置近傍に配置された画素スイッチＳＷと、を備えている。
【００１８】
画素スイッチＳＷは、例えば半導体層としてポリシリコン層を備えた薄膜トランジスタである。画素スイッチＳＷのゲート電極（図示せず）は、対応する走査線ＳＬと電気的に接続されている（あるいは一体に形成されている）。画素スイッチＳＷのソース電極（図示せず）は、対応する信号線ＤＬと電気的に接続されている（あるいは一体に形成されている）。画素スイッチＳＷのドレイン電極（図示せず）は、対応する画素電極ＰＥと電気的に接続されている（あるいは一体に形成されている）。
【００１９】
対向基板１２０は、複数の画素電極ＰＥと対向するように配置された対向電極ＣＥを備えている。対向電極ＣＥには、図示しない対向電極駆動回路から対向電圧が供給される。複数の画素電極ＰＥと対向電極ＣＥとは、配向膜（図示せず）によって覆われている。配向膜の表面は、必要に応じてラビング処理が成されている。
【００２０】
アレイ基板１１０は、表示部ＤＹＰの周囲に配置された駆動部１３０を備えている。この駆動部１３０は、例えば１チップで構成されるものであって、アレイ基板１１０上の非表示領域に直接フェースダウンボンディングされている。駆動部１３０は、走査線駆動回路ＳＤと、信号線駆動回路ＤＤと、走査線駆動回路ＳＤおよび信号線駆動回路ＤＤの動作を制御するタイミングコントローラＴＣＯＮと、を備えている。走査線駆動回路ＳＤには複数の走査線ＳＬが電気的に接続されている。信号線駆動回路ＤＤには複数の信号線ＤＬが電気的に接続されている。
【００２１】
タイミングコントローラＴＣＯＮには、外部信号源ＳＳから映像信号データおよびクロック信号が供給される。タイミングコントローラＴＣＯＮは、クロック信号に基づいて走査線駆動回路ＳＤに水平同期信号を供給する。タイミングコントローラＴＣＯＮは、映像信号データおよびクロック信号に基づいて信号線駆動回路ＤＤに垂直同期信号および映像信号データを供給する。
【００２２】
本実施形態に係る表示装置では、信号線駆動回路ＤＤは映像信号データを記憶するメモリＭと、このメモリＭから読み出される映像信号データをディジタル・アナログ変換し、所定の信号電圧として出力するドライバＤＤＡとを備えている。メモリＭは、例えばＤＲＡＭ（Dynamic Random Access Memory）等の揮発性メモリであって、少なくとも２フレーム分の映像信号データを記憶可能なサイズである。例えば、この表示装置が８ビット表示される（６４０×３）×４８０画素で構成される場合、メモリＭは［（６４０×３）×４８０］×２×８の記憶容量を有している。そして、本実施形態の表示装置では、メモリＭとして、高速にデータ読出しが可能なＤＲＡＭが搭載されている。
【００２３】
外部信号源ＳＳとタイミングコントローラＴＣＯＮとは、例えば、ＭＩＰＩ（Mobile Industry Processor Interface）、ＳＰＩ（Serial Peripheral Interface）、ＭＤＤＩ（Mobile Display Digital Interface）等のインタフェースを用いて信号を伝送している。また、外部信号源ＳＳと信号線駆動回路ＤＤのメモリＭとは、例えばメモリバス等の伝送路を介して直接接続することもできる。メモリバス等の伝送路を用いることによって、外部信号源ＳＳとメモリＭとのデータ伝送を高速に行なうことができる。
【００２４】
外部信号源ＳＳは、映像信号データと、クロック信号と、アドレス信号とを、タイミングコントローラＴＣＯＮ、あるいはメモリＭに供給する。外部信号源ＳＳから供給されたアドレス信号に従って、メモリＭの所定のアドレスに供給された映像信号データが書込まれる。
【００２５】
さらに、本実施形態に係る表示装置では、三次元画像表示が可能に構成され、外部信号源ＳＳはタイミングコントローラに二次元画像表示と三次元画像表示とを切り替える切替信号を供給する。ここで用いられる三次元画像は、例えばユーザが右目で視認する右眼画像と左目で視認する左眼画像とで構成され、これを交互に表示することにより視差画像を構成するものである。そして、バックライトからの出射光を右眼用、左眼用にそれぞれ指向性を持たせ、これを画像表示に同期させて切り替えることで三次元画像表示を実現できる。また、視差バリアと組み合わせることによっても三次元画像表示を示現することができる。
【００２６】
図２に示すように、本実施形態に係る表示装置では、信号線駆動回路ＤＤは、メモリＭとドライバＤＤＡとを備えている。メモリＭは、それぞれ１フレーム分の映像信号データの記憶が可能な第１及び第２記憶領域ＭＡ、ＭＢを備えている。
【００２７】
例えば、外部信号源ＳＳから三次元画像表示に切替る信号が供給されると、１フレーム分の右目用の表示画像（右画像）用データが第１記憶領域ＭＡに書込まれ、次フレーム分の左目用の表示画像（左画像）用データが第２記憶領域ＭＢに書込まれる。外部信号源ＳＳから二次元画像表示に切替る信号が供給されると、各フレームの表示画像用データは第１記憶領域ＭＡと第２記憶領域ＭＢとに交互に書き込まれる。
【００２８】
上記したように外部信号原ＳＳと信号線駆動回路ＤＤのメモリＭとは、例えばメモリバス等の伝送路を介して直接接続されており、映像信号データが更新される場合のみ、メモリＭの内容が書き換えられる。即ち、静止画像の場合は、メモリＭの内容は更新されない。
【００２９】
なお、図２に示す場合では、外部信号源ＳＳからメモリＭに映像信号データが供給されているが、信号線駆動回路ＤＤは、タイミングコントローラＴＣＯＮからメモリＭに映像信号データが供給されるように構成されていてもよい。
【００３０】
走査線駆動回路ＳＤ、信号線駆動回路ＤＤ、および、タイミングコントローラＴＣＯＮは、この実施形態では１チップで構成したが、例えば走査線駆動回路ＳＤ、信号線駆動回路ＤＤ、あるいはタイミングコントローラＴＣＯＮの一部を、画素スイッチＳＷの形成と同一のプロセスで、例えば半導体層としてポリシリコン層を備えた薄膜トランジスタを用いてアレイ基板上に一体的に構成することもできる。なお、図１では、説明のため、走査線駆動回路ＳＤ、信号線駆動回路ＤＤ、および、タイミングコントローラＴＣＯＮを別体として記載している。
【００３１】
上記表示装置において、タイミングコントローラＴＣＯＮは、外部信号源ＳＳから供給されるクロック信号に基づいて、走査線駆動回路ＳＤに水平同期信号を供給する。走査線駆動回路ＳＤは、タイミングコントローラＴＣＯＮから供給された水平同期信号に従って、順次走査線ＳＬにゲート電圧を供給する。走査線ＳＬにゲート電圧が供給されると、その走査線ＳＬに接続された画素スイッチＳＷのソース−ドレイン間が導通する。
【００３２】
また、タイミングコントローラＴＣＯＮは、外部信号源ＳＳから供給されるクロック信号に基づいて、メモリＭから映像信号データを順次読み出し、垂直同期信号と共に信号線駆動回路ＤＤに供給する。
【００３３】
信号線駆動回路ＤＤに供給された映像信号データは、表示画素ＰＸに表示させる階調に対応した階調映像信号にディジタル・アナログ変換され、垂直同期信号に従って複数の信号線ＤＬに階調映像信号が供給される。信号線ＤＬに供給された階調映像信号は、画素スイッチＳＷを介して画素電極ＰＥに供給される。
【００３４】
タイミングコントローラＴＣＯＮは、走査線駆動回路ＳＤおよび信号線駆動回路ＤＤを制御して、１フレーム期間にすべての画素電極ＰＥに対応する階調映像信号を供給する。
【００３５】
例えばタイミングコントローラＴＣＯＮに二次元（２Ｄ）画像表示から三次元（３Ｄ）画像表示へ切り替える切替信号が供給されると、タイミングコントローラＴＣＯＮは、二次元画像表示の時の２倍の周波数の垂直同期信号を出力する。図３は、二次元画像表示の時の垂直同期信号の周波数は６０Ｈｚであって、三次元画像表示の時の垂直同期信号の周波数は１２０Ｈｚの場合を示している。
【００３６】
三次元画像表示の場合、外部信号源ＳＳから１フレーム分の右目用の表示画像（右画像）用データが第１記憶領域ＭＡに書込まれ、１フレーム分の左目用の表示画像（左画像）用データが第２記憶領域ＭＢに書込まれる。すなわち、外部信号源ＳＳあるいはタイミングコントローラＴＣＯＮから供給されるアドレス信号に従って、メモリＭの第１記憶領域ＭＡの所定のアドレスに右画像用データが書き込まれ、メモリＭの第２記憶領域ＭＢの所定のアドレスに左画像用データが書き込まれる。表示画像が静止画である場合は外部信号原ＳＳはメモリＭの内容を更新せず、動画である場合は外部信号原ＳＳはメモリＭの内容を順次更新する。
【００３７】
右画像用データと左画像用データとは、垂直同期信号に従って、第１記憶領域ＭＡおよび第２記憶領域ＭＢから交互に読み出されドライバＤＤＡに供給され、ドライバＤＤＡにより対応する階調映像信号に変換されて複数の信号線ＤＬに供給される。
【００３８】
上述したように、本実施形態ではメモリＭは少なくとも２フレーム分のメモリ容量を持つことから、三次元画像表示の場合であっても、外部信号原ＳＳは余剰のメモリを持つことなく、順次映像信号データを表示装置に送信するだけでよい。しかも、静止画像表示の場合は外部信号源ＳＳからメモリＭへの映像信号データの供給を停止することができる。このことにより、外部信号源ＳＳの消費電力を削減することができる。
【００３９】
すなわち、本実施形態に係る表示装置およびその駆動方法によれば、外部信号源の消費電力を削減することが可能な表示装置および表示装置の駆動方法を提供することができる。
【００４０】
なお、上記のように三次元画像を表示させる場合以外でも、メモリＭに記憶されたデータを読み出してドライバＤＤＡから信号線ＤＬに階調映像信号を供給する期間は、外部信号源ＳＳからの映像信号の供給を停止することができ、消費電力を削減することができる。
【００４１】
例えば、二次元画像の静止画像を表示部ＤＹＰに表示させる場合には、メモリＭに記憶された静止画像データを読み出して信号線ＤＬに供給することによって静止画像を表示部ＤＹＰに表示させることができる。この場合も、静止画像が更新されるまでの間、外部信号源ＳＳからメモリＭへの映像信号の供給を停止させることができ、消費電力を削減することができる。
【００４２】
次に、本発明の第２実施形態に係る表示装置について、図面を参照して説明する。なお、以下の説明において、上述の第１実施形態に係る表示装置と同様の構成については同一の符号を付して説明を省略する。
【００４３】
本実施形態に係る表示装置は、上述の第１実施形態に係る表示装置と同様に、アレイ基板１１０と、アレイ基板１１０と対向するように配置された対向基板１２０と、アレイ基板１１０と対向基板１２０との間に挟持された液晶層ＬＱと、マトリクス状に配置された表示画素ＰＸからなる表示部ＤＹＰと、を備えた液晶表示装置である。
【００４４】
本実施形態に係る表示装置では、上記した実施形態と同様に、図４に示すように、信号線駆動回路ＤＤは映像信号データを記憶するメモリＭと、メモリＭから読み出された映像信号データディジタル・アナログ変換し、所定の信号電圧として出力するドライバＤＤＡとを備えている。メモリＭは、例えばＤＲＡＭ等の揮発性メモリであって、少なくとも２フレーム分の映像信号データを記憶可能なサイズである。
【００４５】
外部信号源ＳＳは、例えば放送信号を受信するアプリケーションＡＰＲを備えている。放送信号は、例えば、携帯電話等のモバイル端末を受信対象とする地上デジタルテレビジョン放送である携帯電話・移動体端末向けの１セグメント部分受信サービス（ワンセグ）による放送信号である。
【００４６】
上記の表示装置において、アプリケーションＡＰＲにより受信された放送信号は、外部信号源ＳＳにおいて例えばＭＰＥＧ（moving picture experts group）２−ＴＳ（Transport Stream）信号に復調され、さらにＭＰＥＧ２−ＴＳ信号が映像ＰＥＳ（Packetized Elementary Stream）信号と音声ＰＥＳ信号とに分離される。
【００４７】
映像ＰＥＳ信号は、図示しないデコーダによりデコードされて映像信号データとして表示装置に供給される。音声ＰＥＳ信号は、図示しないデコーダによりデコードされて音声信号として図示しないスピーカに供給される。
【００４８】
例えば、従来の携帯電話等では、アプリケーションＡＰＲにより受信された放送信号に基づく映像信号データを、映像信号源ＳＳから取り込んだフレーム画像と合成し、一旦、外部メモリに書き込み、これを順次表示装置に供給していた。
【００４９】
これに対して、この実施形態では、例えばメモリＭの第３記憶領域ＭＣ、第４記憶領域ＭＤには外部情報源ＳＳからそれぞれフレーム画像が供給され記憶されている。そして、第３記憶領域ＭＣに外部信号源ＳＳから供給される映像信号データがアドレス指定で書き込まれる。この第３記憶領域ＭＣで合成された映像信号データが順次読み出されて画像表示がなされる。次のフレーム期間では、第４記憶領域ＭＤに外部情報源ＳＳから供給される映像信号データがアドレス指定で書き込まれ、合成された映像信号データが順次読み出されて画像表示がなされる。
【００５０】
なお、フレーム画像とは、表示部ＤＹＰに放送信号を表示させる場合に、放送信号を表示させる表示部ＤＹＰの領域（例えば図５に示す領域Ａ１）の周囲に表示される画像（例えば図５に示す領域Ａ２に表示された画像）であって、例えば機器の設定（チャンネル、音量、明るさ等）を表示する画像である。そして、メモリＭの第３記憶領域ＭＣ、第４記憶領域に記憶されるフレーム画像データは、表示状態が変化しない限り書き換えられない。
【００５１】
上記の構成により、メモリＭの第３記憶領域ＭＣ、第４記憶領域を交互に使用し、しかも映像信号データをアドレス指定で書き込むことにより、外部情報源ＳＳからの信号情報量を減らすことが可能となる。また、静止画表示の場合には映像信号データの書き換えを不要にすることで、低消費電力化の達成が可能となる。
【００５２】
そして、第３記憶領域ＭＣおよび第４記憶領域ＭＤに記憶された映像信号データは、それぞれ順次ドライバＤＤＡに供給される。ドライバＤＤＡは、供給された映像信号を対応する階調映像信号にディジタル・アナログ変換して複数の信号線ＤＬに供給する。
【００５３】
上記のように、信号線駆動回路ＤＤが、少なくとも２フレーム分以上の映像信号データを記憶可能なメモリＭを備えることにより、表示装置が直接映像信号データを受け取り、フレーム画像データと合成して画像表示を行なうことができる。これにより、外部情報源ＳＳの信号処理を軽減でき、消費電力を削減することができる。
【００５４】
更に、映像信号データ、フレーム画像データは、表示状態が変化しない限り書き換えられないので、伝送情報量を軽減でき、これにより低消費電力化の達成が可能となる。
【００５５】
すなわち、本実施形態に係る表示装置およびその駆動方法によれば、外部信号源の消費電力を削減することが可能な表示装置および表示装置の駆動方法を提供することができる。
【００５６】
なお、この発明は、上記実施形態そのものに限定されるものではなく、その実施の段階ではその要旨を逸脱しない範囲で構成要素を変形して具体化できる。上記表示装置の構成要素は、ハードウエアとして構成されていてもよく、ソフトウェアとして構成されていてもよい。
【００５７】
また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００５８】
例えば、上記第２実施形態に係る表示装置は、図５に示すように、メモリＭを外部情報源ＳＳから伝送される映像信号データを記憶する第３記憶領域ＭＣと、フレーム画像データを記憶する第４記憶領域ＭＤとで構成すると共に、映像信号データとフレーム画像データとを合成する映像信号生成部ＤＤＢを備えて構成することもできる。この場合、信号源駆動回路ＤＤの素子数は増大するものの、上記実施形態と同様に外部情報源ＳＳの信号処理を軽減できると共に、外部情報源ＳＳから伝送される情報量の削減の効果を得ることができる。
【００５９】
なお、図５の映像信号生成部ＤＤＢには合成された画像の一例を示している。合成される画像の領域Ａ１は放送信号データに基づく画像であって、領域Ａ２にはフレーム画像データに基づく画像である。
【００６０】
また、携帯電話では、例えば表示画面を回転させることで、画面のアスペクト比を９：１６から１６：９に変更する機能を備えている場合がある。このような場合でも、この実施形態に従えば、フレーム画像データのみを書き換え、映像信号生成部ＤＤＢで画像合成することで表示が可能となる。
【００６１】
以上説明したように、本発明によれば、外部信号源の消費電力を削減することが可能な表示装置および表示装置の駆動方法を提供することができる。
【符号の説明】
【００６２】
ＰＸ…表示画素、ＤＹＰ…表示部、ＰＥ…画素電極、ＳＬ…走査線、ＤＬ…信号線、ＳＷ…画素スイッチ、ＣＥ…対向電極、ＳＤ…走査線駆動回路、ＤＤ…信号線駆動回路、ＴＣＯＮ…タイミングコントローラ、ＳＳ…外部信号源、Ｍ…メモリ、ＤＤＡ…ドライバ、ＭＡ…第１記憶領域、ＭＢ…第２記憶領域、ＭＣ…第３記憶領域、ＭＤ…第４記憶領域、ＤＤＢ…映像信号生成部、１３０…駆動部。
【図１】
2011085810.tif 000003
【図２】
2011085810.tif 000004
【図３】
2011085810.tif 000005
【図４】
2011085810.tif 000006
【図５】
2011085810.tif 000007